【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アップリンクリソース要素グループ（ＲＥＧ）のセットを識別することと、ここにおいて、アップリンクＲＥＧの前記セットの各アップリンクＲＥＧは、シンボル期間中のリソースブロック（ＲＢ）のセットのそれぞれのＲＢの部分を備え、ＲＢの前記セットの各ＲＢは、１つまたは複数の基準信号リソース要素（ＲＥ）と１つまたは複数のデータＲＥとを備える、
アップリンクＲＥＧの前記セットにワイヤレス通信リンクのためのアップリンク制御チャネルをマッピングすることと、
アップリンクＲＥＧの前記セットを使用して前記アップリンク制御チャネル上で通信することと
を備える、方法。
【請求項２】
ＲＢの前記セットは隣接しない、請求項１に記載の方法。
【請求項３】
ユーザ機器（ＵＥ）に関連付けられたオフセットを識別することと、
ＲＢの前記セットの各ＲＢにおいて前記オフセットを使用してアップリンク基準信号を送信することと
をさらに備える、請求項１に記載の方法。
【請求項４】
符号分割多重化（ＣＤＭ）カバーコードを識別すること
をさらに備え、ここにおいて、前記ワイヤレス通信リンクを通じて通信することは、前記ＣＤＭカバーコードに少なくとも部分的に基づく、請求項１に記載の方法。
【請求項５】
前記ＣＤＭカバーコードは、周波数領域中の２つ以上の異なるサブキャリアのリソース要素、または時間領域中の２つ以上の異なるシンボル期間のリソース要素、あるいはそれらの組み合わせを備える、請求項４に記載の方法。
【請求項６】
前記アップリンク制御チャネルのペイロードサイズを決定すること
をさらに備え、ここにおいて、前記ＣＤＭカバーコードを識別することは、前記ペイロードサイズに少なくとも部分的に基づく、請求項４に記載の方法。
【請求項７】
前記データＲＥは、基準信号ＲＥとインターリーブされ、前記インターリーブすることは、ＲＢの前記セットのうちの１つのＲＢのシンボル期間中に、前記データＲＥのうちの１つを、前記基準信号ＲＥのうちの１つと交互にすることを備える、請求項１に記載の方法。
【請求項８】
ＲＥＧの前記セットの各ＲＥＧは、基準信号を備えるＲＥとインターリーブされた、データを備えるＲＥのセットを備え、前記インターリーブすることは、ＲＢの前記セットのうちの１つのＲＢのシンボル期間中に、データを備える前記ＲＥのうちの２つを、前記基準信号を備える前記ＲＥのうちの１つと交互にすることを備える、請求項１に記載の方法。
【請求項９】
前記通信することは、
第１のシンボル期間中に、ＲＥＧの前記セットのうちの第１のＲＥＧにおいて基準信号と第１のデータとを送信することと、
前記第１のシンボル期間に後続する第２のシンボル期間中に、ＲＥＧの前記セットのうちの第２のＲＥＧの各ＲＥにおいて第２のデータを送信することと
を備える、請求項１に記載の方法。
【請求項１０】
第１のＵＥに関連付けられた第１のＲＥＧ構造と、第２のＵＥに関連付けられた第２のＲＥＧ構造とを識別することと、
ＲＢの前記セットのうちの１つのＲＢ中の前記第１のＲＥＧ構造を使用して、前記第１のＵＥから第１のアップリンク基準信号を受信することと
をさらに備える、請求項１に記載の方法。
【請求項１１】
ＲＢのセットのうちの別のＲＢ中の前記第２のＲＥＧ構造を使用して、前記第２のＵＥから第２のアップリンク基準信号を受信すること
をさらに備える、請求項１０に記載の方法。
【請求項１２】
プロセッサによって実行されると、請求項１乃至１１のいずれかに記載の方法を行うための命令を備える、コンピュータプログラム。
【請求項１３】
ワイヤレス通信のための装置であって、
アップリンクリソース要素グループ（ＲＥＧ）のセットを識別するための手段と、ここにおいて、アップリンクＲＥＧの前記セットの各アップリンクＲＥＧは、シンボル期間中のリソースブロック（ＲＢ）のセットのそれぞれのＲＢの部分を備え、ＲＢの前記セットの各ＲＢは、１つまたは複数の基準信号リソース要素（ＲＥ）と１つまたは複数のデータＲＥとを備える、
アップリンクＲＥＧの前記セットにワイヤレス通信リンクのためのアップリンク制御チャネルをマッピングするための手段と、
ＲＥＧの前記セットを使用して前記アップリンク制御チャネル上で通信するための手段と
を備える、装置。
【請求項１４】
前記装置に、
ユーザ機器（ＵＥ）に関連付けられたオフセットを識別するための手段と、
ＲＢの前記セットの各ＲＢにおいて前記オフセットを使用してアップリンク基準信号を送信するための手段と
を行わせるように動作可能な命令をさらに備える、請求項１３に記載の装置。
【請求項１５】
符号分割多重化（ＣＤＭ）カバーコードを識別するための手段
をさらに備え、ここにおいて、前記ワイヤレス通信リンクを通じて通信することは、前記ＣＤＭカバーコードに少なくとも部分的に基づく、請求項１３に記載の装置。
【手続補正２】
【補正対象書類名】明細書
【補正対象項目名】０１３５
【補正方法】変更
【補正の内容】
【０１３５】
[0142]  本書で使用される場合、「〜に基づく」という表現は、条件の閉じられたセット（closed set）への言及として解釈されるべきではない。例えば、「条件Ａに基づく」と説明される、例となるステップは、本開示の範囲から逸脱することなく、条件Ａおよび条件Ｂの両方に基づき得る。言い換えると、本明細書で使用される場合、「〜に基づく」という句は、「〜に少なくとも部分的に基づく」という句と同じ方法で解釈されることとなる。
以下に本願の出願当初の特許請求の範囲に記載された発明を付記する。
［Ｃ１］
ワイヤレス通信の方法であって、
リソース要素グループ（ＲＥＧ）のセットを識別することと、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングすることと、
ＲＥＧの前記セットを使用して前記アップリンク制御チャネル上で通信することと
を備える、方法。
［Ｃ２］
ＲＢの前記セットは隣接しない、Ｃ１に記載の方法。
［Ｃ３］
ユーザ機器（ＵＥ）に関連付けられたオフセットを識別することと、
ＲＢの前記セットの各ＲＢにおいて前記オフセットを使用してアップリンク基準信号を送信することと
をさらに備える、Ｃ１に記載の方法。
［Ｃ４］
前記アップリンク基準信号は、前記アップリンク制御チャネルを備える１つまたは複数のシンボル期間中に送信される、Ｃ３に記載の方法。
［Ｃ５］
前記アップリンク基準信号は、基地局によって示される１つまたは複数のシンボル期間中に送信される、Ｃ３に記載の方法。
［Ｃ６］
前記アップリンク基準信号は、前記アップリンク制御チャネルまたはアップリンク共有チャネル、あるいは両方に関連付けられる、Ｃ３に記載の方法。
［Ｃ７］
前記ＲＥＧの前記セットは、ＲＲＣシグナリングを使用して通信される指示に従って準静的に構成される、Ｃ１に記載の方法。
［Ｃ８］
ＲＥＧの前記セットは、ダウンリンクメッセージ中で通信される指示を使用して動的に構成される、Ｃ１に記載の方法。
［Ｃ９］
前記アップリンク制御チャネルの波形は、直交周波数分割多重化（ＯＦＤＭ）波形、離散フーリエ変換拡散ＯＦＤＭ（ＤＦＴ−Ｓ−ＯＦＤＭ）波形、またはインターリーブされた周波数分割多重化（ＩＦＤＭ）波形を備える、Ｃ１に記載の方法。
［Ｃ１０］
符号分割多重化（ＣＤＭ）カバーコードを識別すること
をさらに備え、ここにおいて、前記ワイヤレス通信リンクを通じて通信することは、前記ＣＤＭカバーコードに少なくとも部分的に基づく、Ｃ１に記載の方法。
［Ｃ１１］
前記ＣＤＭカバーコードは、周波数領域中の２つ以上の異なるサブキャリアのリソース要素、または時間領域中の２つ以上の異なるシンボル期間のリソース要素、あるいはそれらの組み合わせを備える、Ｃ１０に記載の方法。
［Ｃ１２］
前記アップリンク制御チャネルのペイロードサイズを決定すること
をさらに備え、ここにおいて、前記ＣＤＭカバーコードを識別することは、前記ペイロードサイズに少なくとも部分的に基づく、Ｃ１０に記載の方法。
［Ｃ１３］
ＲＥＧの前記セットの各ＲＥＧは、基準信号を備えるリソース要素（ＲＥ）とインターリーブされた、データを備えるＲＥのセットを備え、前記インターリーブすることは、ＲＢの前記セットのうちの１つのＲＢのシンボル期間中に、データを備える前記ＲＥのうちの１つを、前記基準信号を備える前記ＲＥのうちの１つと交互にすることを備える、Ｃ１に記載の方法。
［Ｃ１４］
ＲＥＧの前記セットの各ＲＥＧは、基準信号を備えるＲＥとインターリーブされた、データを備えるＲＥのセットを備え、前記インターリーブすることは、ＲＢの前記セットのうちの１つのＲＢのシンボル期間中に、データを備える前記ＲＥのうちの２つを、前記基準信号を備える前記ＲＥのうちの１つと交互にすることを備える、Ｃ１に記載の方法。
［Ｃ１５］
前記アップリンク制御チャネルのコンテンツに少なくとも部分的に基づいて、ＲＥＧの前記セット中のＲＥＧの数量を識別すること
をさらに備える、Ｃ１に記載の方法。
［Ｃ１６］
前記通信することは、
第１のシンボル期間中に、ＲＥＧの前記セットのうちの第１のＲＥＧにおいて基準信号と第１のデータとを送信することと、
第１のシンボル期間に後続する第２のシンボル期間中に、ＲＥＧの前記セットのうちの第２のＲＥＧの各ＲＥにおいて第２のデータを送信することと
を備える、Ｃ１に記載の方法。
［Ｃ１７］
ＲＥＧの前記セットの各ＲＥＧのために送信アンテナまたは送信ポートを識別すること  をさらに備える、Ｃ１に記載の方法。
［Ｃ１８］
前記通信することは、前記アップリンク制御チャネルを備える送信時間間隔の最後のシンボル期間中に、サウンディング基準信号（ＳＲＳ）を送信することを備える、Ｃ１に記載の方法。
［Ｃ１９］
第１のＵＥに関連付けられた第１のＲＥＧ構造と、第２のＵＥに関連付けられた第２のＲＥＧ構造とを識別することと、
ＲＢの前記セットのうちの１つのＲＢ中の前記第１のＲＥＧ構造を使用して、前記第１のＵＥから第１のアップリンク基準信号を受信することと
をさらに備える、Ｃ１に記載の方法。
［Ｃ２０］
ＲＢのセットのうちの別のＲＢ中の前記第２のＲＥＧ構造を使用して、前記第２のＵＥから第２のアップリンク基準信号を受信すること
をさらに備える、Ｃ１９に記載の方法。
［Ｃ２１］
前記第１のＲＥＧ構造および前記第２のＲＥＧ構造は、少なくとも、周波数オフセット、基準信号のためのＲＥの数、またはＣＤＭカバーコードのうちの１つ、あるいはこれらの組み合わせにおいて異なる、Ｃ２０に記載の方法。
［Ｃ２２］
第２のシンボル期間中に別のＲＢ中の前記第１のＵＥに関連付けられたＲＥＧの各ＲＥにおいてデータまたは制御情報を受信すること
をさらに備え、ＲＥＧの前記セットは、前記第１のＵＥに関連付けられた前記ＲＥＧを備える、Ｃ１９に記載の方法。
［Ｃ２３］
ワイヤレス通信のための装置であって、
リソース要素グループ（ＲＥＧ）のセットを識別するための手段と、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングするための手段と、
ＲＥＧの前記セットを使用して前記アップリンク制御チャネル上で通信するための手段と
を備える、装置。
［Ｃ２４］
前記装置に、
ユーザ機器（ＵＥ）に関連付けられたオフセットを識別するための手段と、
ＲＢの前記セットの各ＲＢにおいて前記オフセットを使用してアップリンク基準信号を送信するための手段と
を行わせるように動作可能な命令をさらに備える、Ｃ２３に記載の装置。
［Ｃ２５］
前記ＲＥＧの前記セットは、ＲＲＣシグナリングを使用して通信される指示に従って準静的に構成される、Ｃ２３に記載の装置。
［Ｃ２６］
ＲＥＧの前記セットは、ダウンリンクメッセージ中で通信される指示を使用して動的に構成される、Ｃ２３に記載の装置。
［Ｃ２７］
前記アップリンク制御チャネルの波形は、直交周波数分割多重化（ＯＦＤＭ）波形、離散フーリエ変換拡散ＯＦＤＭ（ＤＦＴ−Ｓ−ＯＦＤＭ）波形、またはインターリーブされた周波数分割多重化（ＩＦＤＭ）波形を備える、Ｃ２３に記載の装置。
［Ｃ２８］
符号分割多重化（ＣＤＭ）カバーコードを識別するための手段
をさらに備え、ここにおいて、前記ワイヤレス通信リンクを通じて通信することは、前記ＣＤＭカバーコードに少なくとも部分的に基づく、Ｃ２３に記載の装置。
［Ｃ２９］
ワイヤレス通信のための装置であって、
プロセッサと、
前記プロセッサと電子通信するメモリと、
前記メモリに記憶され、かつ前記プロセッサによって実行されると、前記装置に、
リソース要素グループ（ＲＥＧ）のセットを識別することと、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングすることと、
ＲＥＧの前記セットを使用して前記アップリンク制御チャネル上で通信することと
を行わせるように動作可能な命令と
を備える、装置。
［Ｃ３０］
ワイヤレス通信のためのコードを記憶する非一時的コンピュータ可読媒体であって、前記コードは、
リソース要素グループ（ＲＥＧ）のセットを識別することと、ここにおいて、ＲＥＧの前記セットの各ＲＥＧは、リソースブロック（ＲＢ）のセットのそれぞれのＲＢの部分を備える、
ＲＥＧの前記セットにワイヤレス通信リンクのためのアップリンク制御チャネルをマッピングすることと、
ＲＥＧの前記セットを使用して前記アップリンク制御チャネル上で通信することと
を行うように実行可能な命令を備える、非一時的コンピュータ可読媒体。